(57)【要約】【課題】壁強度が高く、施工も容易な壁体と、そのためのパネルジョイントを提供する。【解決手段】横フレーム１を浴室防水パン５０の壁パネル設置用の周縁部５１の上に横引き状に設置する。次いで上部を横フレーム４で連結する。枠体Ｗ１，Ｗ２が構築された後、枠体の前面側（室内側）にパネル２０，２０Ｓを取り付ける。短いパネル２０Ｓと長いパネル２０の突き合わせ部は、パネルジョイント１０の張出部１２にビス留めされる。【選択図】図５
2007224519.tif 000002
【特許請求の範囲】
【請求項１】
壁の下辺部に配置された下部横フレームと、該横フレームから横フレーム長手方向に間隔をおいて立設された複数本の縦フレームと、該縦フレームの上端同士を繋ぐ上部横フレームとによって枠体が構成され、
該枠体にパネルが取り付けられて構成された壁体。
【請求項２】
請求項１において、前記パネルは、前記枠体の前面側に取り付けられた板材と、該板材の裏側に固着されており、前記縦フレーム同士の間に配置された断熱材とを備えてなることを特徴とする壁体。
【請求項３】
請求項１又は２において、複数枚の前記パネルが左右に隣接配置され、
左側パネルの右端辺と右側パネルの左端辺とが前記いずれかの前記縦フレームの前面において突き合わされていることを特徴とする壁体。
【請求項４】
請求項３において、該縦フレームには、該縦フレームの背面及び両側面に重なるコ字状部と、該コ字状部から左右に張り出す張出部とを有したパネルジョイントが取り付けられており、
左側の該張出部に該パネルジョイントよりも左側の左側パネルの右端が留付具によって留め付けられ、該パネルジョイントよりも右側の右側パネルの左端が右側の該張出部に留付具によって留め付けられていることを特徴とする壁体。
【請求項５】
請求項３又は４において、該左側パネル及び該右側パネルの上側に上側パネルが配置されており、
該上側パネルの左右の端辺は、該左側パネルと右側パネルの突き合わせ位置と異なる位置に配置されていることを特徴とする壁体。
【請求項６】
請求項１ないし５のいずれか１項において、パネルの前面側にタイルなどの意匠材が張り付けられていることを特徴とする壁体。
【請求項７】
縦フレームの背面及び両側面に重なるコ字状部と、該コ字状部から左右に張り出す張出部とを有したパネルジョイント。
【発明の詳細な説明】
【技術分野】
【０００１】
本発明は浴室などの壁を構成する壁体に係り、特にフレームによって枠体を構成し、この枠体の前面側にパネルを取り付けた壁体に関する。また、本発明は、この壁体に用いられるパネルジョイントに関する。
【背景技術】
【０００２】
フレームによって枠体を構成し、この枠体の前面側にパネルを取り付けた壁体の従来例として特開平８−２４００２０号がある。同号では、防水パンの周縁部の上面に床用フレーム（横フレーム）を設置し、この床用フレームの上に複数本の縦フレームを立設する。この縦フレームの中間同士を横フレームで連結して枠体とし、この枠体の上に天井パネルを嵌め込み、その後、枠体の前面側にパネルを取り付ける。
【特許文献１】特開平８−２４００２０号
【発明の開示】
【発明が解決しようとする課題】
【０００３】
上記特開平８−２４００２０号では、縦フレームの上端同士は連結されておらず、壁強度に改良の余地がある。また、枠体の上に天井パネルを載せた後にパネル取り付けを行う必要があり、作業手順の制約も大きい。
【０００４】
本発明は、壁強度が高く、施工も容易な壁体と、そのためのパネルジョイントを提供することを目的とする。
【課題を解決するための手段】
【０００５】
請求項１の壁体は、壁の下辺部に配置された下部横フレームと、該横フレームから横フレーム長手方向に間隔をおいて立設された複数本の縦フレームと、該縦フレームの上端同士を繋ぐ上部横フレームとによって枠体が構成され、該枠体にパネルが取り付けられて構成されたものである。
【０００６】
請求項２の壁体は、請求項１において、前記パネルは、前記枠体の前面側に取り付けられた板材と、該板材の裏側に固着されており、前記縦フレーム同士の間に配置された断熱材とを備えてなることを特徴とするものである。
【０００７】
請求項３の壁体は、請求項１又は２において、複数枚の前記パネルが左右に隣接配置され、左側パネルの右端辺と右側パネルの左端辺とが前記いずれかの前記縦フレームの前面において突き合わされていることを特徴とするものである。
【０００８】
請求項４の壁体は、請求項３において、該縦フレームには、該縦フレームの背面及び両側面に重なるコ字状部と、該コ字状部から左右に張り出す張出部とを有したパネルジョイントが取り付けられており、左側の該張出部に該パネルジョイントよりも左側の左側パネルの右端が留付具によって留め付けられ、該パネルジョイントよりも右側の右側パネルの左端が右側の該張出部に留付具によって留め付けられていることを特徴とするものである。
【０００９】
請求項５の壁体は、請求項３又は４において、該左側パネル及び該右側パネルの上側に上側パネルが配置されており、該上側パネルの左右の端辺は、該左側パネルと右側パネルの突き合わせ位置と異なる位置に配置されていることを特徴とするものである。
【００１０】
請求項６の壁体は、請求項１ないし５のいずれか１項において、パネルの前面側にタイルなどの意匠材が張り付けられていることを特徴とするものである。
【００１１】
請求項７のパネルジョイントは、縦フレームの背面及び両側面に重なるコ字状部と、該コ字状部から左右に張り出す張出部とを有したものである。
【発明の効果】
【００１２】
本発明の壁体の枠体は、縦フレームの下端同士だけでなく上端同士も横フレームで連結されているため、壁の強度が高い。また、枠体の上に天井パネルを載せる前であっても壁を施工することができ、作業が容易である。
【００１３】
請求項２のように、パネルの裏側に断熱材を設けておくことにより、壁の断熱性が向上する。請求項２では、パネルの板材をフレームに取り付けるため、パネルの取付強度が高いと共に、壁の強度及び剛性も向上する。
【００１４】
請求項３のように、パネルの左右の端辺同士を縦フレーム前面において突き合わせることにより、突き合わせ部分の強度や止水性が向上する。
【００１５】
この場合、請求項４のようにパネルジョイントを用いることにより、パネルの端辺をしっかりと固定することができる。
【００１６】
請求項５のように、左側パネルと右側パネルの端辺同士の突き合わせ位置の上側に、上側パネルの端辺がこないようにすることにより、パネル前面の不陸を防止ないし抑制することができる。
【００１７】
即ち、パネルの突き合わせ位置が下段側と上段側とで同一であると、４枚のパネルの角縁が１箇所に集まることになる。
【００１８】
具体的には、下段側における左側パネルの右上端及び右側パネルの左上端と、上段側における左側パネルの右下端及び右側パネルの左下端との４個のコーナー部が１箇所に集まり、十字形のパネル継目が生じる。このような十字形のパネル継目にあっては、４枚の各パネルの段差が現われることになり、不陸が生じ易い。
【００１９】
これに対し、縦継目が連続しない場合には、左側パネル、右側パネル及び上段側パネルの突き合わせはＴ字形となり、不陸が抑制される。
【００２０】
請求項６の通り、このパネルの前面側にタイルなどの意匠材を張ることにより、美麗な仕上がりとなる。この場合、パネルの前面にガラス繊維に下地ネットを接着剤で張り付け、その後、タイル張りすることが好ましく、これにより上記の不陸を吸収することができる。
【００２１】
本発明（請求項７）のパネルジョイントは、上記請求項４の構造に用いるのに好適である。
【発明を実施するための最良の形態】
【００２２】
以下、図面を参照して実施の形態について説明する。
【００２３】
第１図は実施の形態に係る壁体の枠体を示す斜視図、第２図（ａ）は第１図のIIａ−IIａ線断面図、第２図（ｂ）は第７図のIIｂ部分の拡大図、第３図はパネルジョイントと縦フレームとの係合関係を示す斜視図、第４図、第５図は壁の構築途中の斜視図、第６図は構築した壁の斜視図、第７図は第６図のVII−VII線断面図、第８図はパネルの背後方向からの斜視図、第９図及び第１０図は連結金具の斜視図である。第１１図は浴室の壁下部部分の縦断面図である。
【００２４】
この実施の形態では、浴室の３方の壁を本発明に従って構築している。
【００２５】
まず、第１図の通り、横フレーム１を浴室防水パン５０（第１１図）の壁パネル設置用の周縁部５１の上に横引き状に設置する。なお、横フレーム１は取付ブラケット５２によって防水パン５０の縁部に固定される。
【００２６】
この横フレーム１の上に縦フレーム２，３を立設する。縦フレーム２は、部屋の隅に配置されるものであり、横フレーム１の長手方向の両端に立設されている。縦フレーム３は、縦フレーム２，２同士の間に一定間隔をおいて立設される。
【００２７】
なお、横フレーム１と縦フレーム３とは第９図（ａ）に示す連結金具３０を用いて第９図（ｂ）のようにして連結される。この連結金具３０は、コ字形部３１と、該コ字形部３１の下端から左右に張り出す水平な張出片３２と、コ字形部３１から下方に延在した垂下片３３とを有する。コ字形部３１に縦フレーム３を嵌合させ、張出片３２を横フレーム１の上面に当て、垂下片３３を横フレーム１の背面に当て、それぞれビス３４によって固定する。後述の横フレーム４と縦フレーム３との連結も同様である（ただし、上下は逆となる。）。
【００２８】
横フレーム１と縦フレーム２とは第１０図（ａ）に示す連結金具４０を用いて第１０図（ｂ）のようにして連結される。この連結金具４０は、Ｌ形部４１と、該Ｌ形部４１から側方に張り出す水平な張出片４２と、下方に垂下する垂下片４３とを有する。張出片４２を横フレーム１の上面に当て、垂下片４３を横フレーム１の背面に当て、Ｌ形部４１を縦フレーム２の直交２面に当て、それぞれビス３４で固定する。後述の横フレーム４と縦フレーム２も同様にして連結される（ただし、上下は逆となる。）。
【００２９】
浴室コーナー部において隣接する縦フレーム２，２同士は、Ｌアングル６０（第１０図（ｂ）参照）によって連結される。
【００３０】
縦フレーム２，３を立設した後、縦フレーム２，３の上端同士に架け渡されるように横フレーム４を取り付ける。
【００３１】
なお、上記の各フレーム１〜４はいずれも金属製の角パイプよりなる。
【００３２】
その後、一部の縦フレーム３（３ａと３ｂ）にパネルジョイント１０を取り付ける。パネルジョイント１０は、第２図及び第３図の通り、縦フレーム３の背面及び両側面に重なるコ字状部１１と、コ字状部１１から左右に張り出す張出部１２とを有した略Ω字形状の断面形状を有する。このパネルジョイント１０は、ビスによって縦フレーム３に留め付けられる。パネルジョイント１０を縦フレーム３に留め付けた状態では、縦フレーム３の前面と張出部１２の前面とは面一となる。
【００３３】
このようにして枠体が構築された後、第４図〜第６図の通り、枠体の前面側（室内側）にパネル２０，２０Ｓを取り付ける。なお、この実施の形態では、浴室の平面視形状は長方形であり、枠体としては該長方形の一長辺に沿う長手枠体Ｗ１と、各短辺に沿う２個の短手枠体Ｗ２とからなる。各枠体Ｗ１，Ｗ２の縦フレーム２，３の長さは同一である。枠体Ｗ１の横フレーム１，４は枠体Ｗ２の横フレーム１，４よりも長い。パネルジョイント１０は長手枠体Ｗ１の一部の縦フレーム３にのみ取り付けられている。
【００３４】
上記パネル２０は、第８図（ａ）の通り、セメント系などの硬質な板材２１と、この板材２１の裏側に固着された発泡合成樹脂ボードなどよりなる断熱材２２とからなる。この断熱材２２をカッターナイフ等によって切り取り、溝２３を形成する。溝２３に縦フレーム２，３を受容させるようにパネル２０を枠体Ｗ１，Ｗ２に対し室内側から当て、ビス２４によって留めつける。この際、断熱材を略縦フレームの幅に切欠き、縦フレーム間に断熱材が充填されるように発泡樹脂を嵌め込むようにするとさらに十分な強度壁を得ることができる。加えて枠体Ｗ１，Ｗ２の横フレームがコ字状（Ｌ字状）となるよう組まれているため、躯体とこの壁体との間に空間がある。すなわち自立した壁体であっても十分に強度がある。
【００３５】
この実施の形態では、枠体Ｗ２はパネル２０の１枚分の長さ以下であり、１枚のパネル２０で１段分のパネル張りをすることができるが、枠体Ｗ１のスパンはパネル２０よりも長いため、１枚のパネル２０を枠体Ｗ１に張ると共に、所定長さに切断したパネル２０Ｓをパネル２０に隣接して張ることにより、１段分のパネル張りを行う。このパネル２０Ｓにも、溝２３を形成し、縦フレーム２とパネルジョイント１０が嵌まるようにする。
【００３６】
枠体Ｗ１に取り付けられるパネル２０の右端は、第１図の枠体Ｗ１の縦フレーム３のうち最も右側の縦フレーム３（３ｂ）に重なる。この部分にはパネルジョイント１０が取り付けられているので、パネル２０の右端はパネルジョイント１０の左側の張出部１２にビス２４で留め付けられる。パネル２０Ｓの左端も同様に右側の張出部１２にビス留めされる。
【００３７】
第４図のように各枠体Ｗ１，Ｗ２に最下段のパネル２０，２０Ｓを取り付け終った後、下から２段目のパネル２０を枠体Ｗ２に取り付け、パネル２０，２０Ｓを同様にして枠体Ｗ１に取り付ける。枠体Ｗ２には１枚のパネル２０が取り付けられ、枠体Ｗ１にはパネル２０とパネル２０Ｓとが取り付けられる。
【００３８】
枠体Ｗ１の２段目では、第７図の通り、短いパネル２０Ｓを枠体Ｗ１の左側に配置し、長いパネル２０を右側に配置する。パネル２０Ｓの右端とパネル２０の左端が第７図及び第２図（ｂ）のようにパネルジョイント１０の張出部１２にビス２４留めされる。その後、最上段のパネル２０Ａ，２０Ｂを枠体Ｗ１，Ｗ２に取り付ける。各パネル２０Ａ，２０Ｂは、パネル２０の上下幅を小さくするようにカットしたものである。パネル２０Ａはパネル２０と同一長さであるが、パネル２０Ｂはパネル２０Ｓと同一長さにカットしたものである。この最上段（下から３段目）では、第１段と同様に短いパネル２０Ｂを枠体Ｗ１の右側に取り付け、長いパネル２０Ａを左側に取り付ける。
【００３９】
その後、各パネル２０，２０Ｓ，２０Ａ，２０Ｂの前面にガラス繊維ネットを接着剤によって塗り込めるようにして張り付け、その上にタイル等の意匠材を張り付けることにより、壁が構築される。
【００４０】
このようにして構築された壁体にあっては、枠体Ｗ１，Ｗ２を構成する縦フレーム２，３の下端同士及び上端同士がそれぞれ横フレーム１，４で連結されているため、壁の強度が高い。また、枠体Ｗ１，Ｗ２の上に天井パネルを載せる前であっても壁を施工することができ、作業が容易である。
【００４１】
なお、第４図や第５図などのパネル張りの途中で、パネルの背後側に配管や配線を引き回すようにしてもよい。
【００４２】
この実施の形態では、パネル２０の裏側に断熱材２２を設けてあるので、壁の断熱性が高い。また、強度の高い板材２１をフレーム１〜４に取り付けるため、パネル２０の取付強度が高いと共に、壁の強度及び剛性も向上する。さらに枠体を自由な大きさに現場で作成することが可能であるため、様々な大きさの部屋に対応可能である。また、縦フレームを上端と下端で固定するため断熱材２２の切り込み位置が決定しやすく断熱材２２の縦フレームの嵌め込みも容易である。
【００４３】
この実施の形態では、パネル２０，２０Ｓあるいはパネル２０Ａ，２０Ｂの左右の端辺同士を突き合わせ、パネルジョイント１０の張出部１２に留め付けているので、突き合わせ部分の強度や止水性が向上する。なお、パネル２０，２０Ｓあるいはパネル２０Ａ，２０Ｂの突き合わせ部分にはコーキングを施すか、又は必要に応じ防水パッキンを介在させておくのが好ましい。
【００４４】
この実施の形態では、枠体Ｗ１の１段目におけるパネル２０とパネル２０Ｓの突き合わせ部の上側には、パネル２０の長辺がかぶさるようにして２段目パネル２０が配置されている。また、２段目のパネル２０とパネル２０Ｓとの突き合わせ部の上側には３段目のパネル２０Ａの長辺がかぶさるようになっている。
【００４５】
従って、パネルの突き合わせ部はＴ字形であり、十字形ではないので、パネル交点部での不陸が抑制される。
【００４６】
上記実施の形態は、本発明の一例であり、本発明は図示以外の形態をもとりうる。例えば、浴室以外の室の壁を本発明構造とすることができる。壁の大きさや配置は図示のものに限定されない。
【図面の簡単な説明】
【００４７】
【図１】実施の形態に係る壁体の枠体を示す斜視図である。
【図２】第２図（ａ）は第１図のIIａ−IIａ線断面図、第２図（ｂ）は第７図のIIｂ部分の拡大図である。
【図３】パネルジョイントと縦フレームとの係合関係を示す斜視図である。
【図４】壁の構築途中の斜視図である。
【図５】壁の構築途中の斜視図である。
【図６】構築した壁の斜視図である。
【図７】第６図のVII−VII線断面図である。
【図８】パネルの背後方向からの斜視図である。
【図９】連続金具の斜視図である。
【図１０】連続金具の斜視図である。
【図１１】浴室の壁下部部分の縦断面図である。
【符号の説明】
【００４８】
１，４  横フレーム
２，３  縦フレーム
１０  パネルジョイント
２０  パネル
２２  断熱材
【図１】
2007224519.tif 000003
【図２】
2007224519.tif 000004
【図３】
2007224519.tif 000005
【図４】
2007224519.tif 000006
【図５】
2007224519.tif 000007
【図６】
2007224519.tif 000008
【図７】
2007224519.tif 000009
【図８】
2007224519.tif 000010
【図９】
2007224519.tif 000011
【図１０】
2007224519.tif 000012
【図１１】
2007224519.tif 000013